(57)【要約】      （修正有）【課題】  ロック完了後におけるフックのがたつきを確実に防止できる車両用ロック装置を提供する。【解決手段】  ストライカ101とこのストライカ101と係脱可能なロック機構とを設けた車両用ロック装置において、ストライカ101を把持するロック位置と、解放するロック解除位置と、ロック位置を超えてオーバーストローク位置まで回転可能なフック22と、フック22がロック解除位置側に回転するのを禁止する係合位置と、フックから離れてフック22がロック解除位置側に回転するのを許容する非係合位置との間を回動可能なポール24と、ポール24が係合位置においてフック22と係合するとき、フック22と係合してフック22がオーバーストローク位置側へ回転するのを禁止し、ポール24が非係合位置にあるときは、フック22との係合を解除してフック22のオーバーストローク位置側への回転を許容する回転防止部材と、を備える車両用ロック装置。【選択図】  図７
2005329804.tif 000002
【特許請求の範囲】
【請求項１】
車両ボディと、該車両ボディに対して回動可能な回動部材または着脱可能な着脱部材との一方と他方に、ストライカとこのストライカと係脱可能なロック機構とを設けた車両用ロック装置において、
上記ストライカを把持するロック位置と、該ストライカを解放するロック解除位置と、上記ロック位置を超えて上記ロック解除位置と反対側のオーバーストローク位置まで回転可能なフックと、
上記ロック位置にあるフックと係合して該フックが上記ロック解除位置側に回転するのを禁止する係合位置と、上記フックから離れて該フックが上記ロック解除位置側に回転するのを許容する非係合位置との間を回動可能なポールと、
該ポールが上記係合位置において上記フックと係合するとき、上記フックと係合して該フックが上記オーバーストローク位置側へ回転するのを禁止し、上記ポールが上記非係合位置にあるときは、上記フックとの係合を解除して該フックの上記オーバーストローク位置側への回転を許容する回転防止部材と、を備えることを特徴とする車両用ロック装置。
【請求項２】
請求項１記載の車両用ロック装置において、
上記ポールは、上記フックが上記ロック解除位置から上記ロック位置側に回転するときは、該フックが上記ロック位置より上記オーバーストローク位置側に移動した後に上記係合位置まで回転し、該フックが上記オーバーストローク位置から上記ロック位置に移動することにより、該フックと係合する車両用ロック装置。
【請求項３】
請求項１または２記載の車両用ロック装置において、
上記ポールと上記回転防止部材を連係し、上記ポールが上記非係合位置側から上記係合位置側に回転するとき、上記回転防止部材を上記フックと係合する方向に遅れながら回転させる連係手段を備える車両用ロック装置。
【請求項４】
請求項３記載の車両用ロック装置において、
上記回転防止部材が、上記ポールと共通の回転軸回りに回転可能であり、
上記連係手段が、上記ポールまたは上記回転防止部材の一方に穿設された係合孔と、他方に突設された、上記共通の回転軸を中心とする円弧方向に相対移動可能として該係合孔に係合する係合ピンである車両用ロック装置。
【請求項５】
請求項４記載の車両用ロック装置において、
上記回転防止部材が、上記フックと係合する係合位置と、上記フックとの係合を解除する非係合位置との間を回転可能であり、
該回転防止部材が、その回転可能範囲内の所定位置より上記非係合位置側に位置するときは、該回転防止部材を該非係合位置側に回転付勢し、該所定位置より上記係合位置側に位置するときは、該回転防止部材を該係合位置側に回転付勢する付勢手段を備える車両用ロック装置。
【請求項６】
請求項１から５のいずれか１項記載の車両用ロック装置において、
車両内の床面に回動可能に支持された折り畳みシートに上記ロック機構を設け、上記ストライカを該床面に突設した車両用ロック装置。
【発明の詳細な説明】
【技術分野】
【０００１】
本発明は、例えば、車両床面等の固定部材側に突設されたストライカと係脱可能な、車両床面に回転可能に支持された折り畳みシート等の回動部材または着脱部材に搭載される車両用ロック装置に関する。
【背景技術】
【０００２】
車両床面に回転可能に支持された折り畳みシートは、その座部が車両床面と平行をなす使用位置に移動させた際に、車両床面に突設したストライカをロックするロック機構を具備している。
この種のロック機構は一般的に、座部の底部に設けたベース部材に形成した切欠溝と、この切欠溝に進入したストライカを把持するロック位置と、ストライカを解放するロック解除位置との間を回転可能なフックと、上記ロック位置にあるフックと係合して該フックが上記ロック解除位置側に回転するのを禁止する係合位置と、上記フックから離れて該フックが上記ロック解除位置側に回転するのを許容する非係合位置との間を回動可能なポールと、を具備しており、フックとポールは引張ばねによって常にロック解除位置側と係合位置側とに向けて回転付勢されている。
【０００３】
さらに、この種のロック機構では、フックとポールの取付位置のばらつきに起因して、ロック解除位置からロック位置に回転したフックにポールが係合しないことがある。そのため、ストライカがフックと係合した際に、フックをロック位置を超えたロック解除位置とは反対側のオーバーストローク位置まで一旦回転させ、その間にポールを係合位置まで移動させておき、その後、上記引張ばねの付勢力によってフックをロック位置まで戻すことにより、ポールとフックを確実に係合させる構造とするのが一般的である。
しかし、このようにフックをオーバーストローク位置まで回転可能とすると、着座時に、ロック位置においてストライカと係合しているフックがオーバーストローク分だけがたつくため、その分だけ折り畳みシートががたついてしまう。さらに、非着座時には車両からの振動により折り畳みシートがオーバーストローク分だけ動くため、異音が発生してしまう。
【０００４】
そこで特許文献１では、ロック位置にあるフックと係合しているストライカに上記オーバーストローク位置側から当接して、ストライカの上記オーバーストローク位置方向への移動を禁止することにより、着座時における折り畳みシートのがたつきや非着座時における折り畳みシートからの異音の発生を防止するカム部材を設けている。
【特許文献１】特開平１１−２０８３３３号公報
【発明の開示】
【発明が解決しようとする課題】
【０００５】
特許文献１のロック機構では、フックの他に、切欠溝（ベース部材）とカム部材をストライカに当接することにより、フックがロック位置からオーバーストローク位置側に回転するのを禁止している。そして、これら３部材のストライカに対する接触態様は、折り畳みシートの車両床面への取付位置に応じて変化するため、折り畳みシートを車両床面の所定位置に精度良く取り付けないと、ロック時にこれら３部材が正規の態様でストライカに接触せず、着座時における折り畳みシートのがたつきや非着座時における折り畳みシートからの異音の発生を防止できない。しかし、これら３部材全てがストライカに対して正規の態様で接触するように、折り畳みシートを車両床面の所定位置に取り付けるのは容易ではない。
【０００６】
本発明の目的は、ロック完了後におけるフックのがたつきを確実に防止できるように、回動部材または着脱部材を車両ボディに比較的簡単に取り付けることができる車両用ロック装置を提供することにある。
【課題を解決するための手段】
【０００７】
本発明の車両用ロック装置は、車両ボディと、該車両ボディに対して回動可能な回動部材または着脱可能な着脱部材との一方と他方に、ストライカとこのストライカと係脱可能なロック機構とを設けた車両用ロック装置において、上記ストライカを把持するロック位置と、該ストライカを解放するロック解除位置と、上記ロック位置を超えて上記ロック解除位置と反対側のオーバーストローク位置まで回転可能なフックと、上記ロック位置にあるフックと係合して該フックが上記ロック解除位置側に回転するのを禁止する係合位置と、上記フックから離れて該フックが上記ロック解除位置側に回転するのを許容する非係合位置との間を回動可能なポールと、該ポールが上記係合位置において上記フックと係合するとき、上記フックと係合して該フックが上記オーバーストローク位置側へ回転するのを禁止し、上記ポールが上記非係合位置にあるときは、上記フックとの係合を解除して該フックの上記オーバーストローク位置側への回転を許容する回転防止部材と、を備えることを特徴としている。
【０００８】
上記ポールを、上記フックが上記ロック解除位置から上記ロック位置側に回転するときは、該フックが上記ロック位置より上記オーバーストローク位置側に移動した後に上記係合位置まで回転させ、該フックが上記オーバーストローク位置から上記ロック位置に移動することにより、該フックと係合させるのが好ましい。
【０００９】
上記ポールと上記回転防止部材を連係し、上記ポールが上記非係合位置側から上記係合位置側に回転するとき、上記回転防止部材を上記フックと係合する方向に遅れながら回転させる連係手段を備えてもよい。
【００１０】
上記回転防止部材を、上記ポールと共通の回転軸回りに回転可能とする場合は、上記連係手段を、上記ポールまたは上記回転防止部材の一方に穿設された係合孔と、他方に突設された、上記共通の回転軸を中心とする円弧方向に相対移動可能として該係合孔に係合する係合ピンとによって構成できる。
【００１１】
上記回転防止部材を、上記フックと係合する係合位置と、上記フックとの係合を解除する非係合位置との間で回転可能とし、さらに、該回転防止部材を、その回転可能範囲内の所定位置より上記非係合位置側に位置するときは、該回転防止部材を該非係合位置側に回転付勢し、該所定位置より上記係合位置側に位置するときは、該回転防止部材を該係合位置側に回転付勢する付勢手段を設けてもよい。
【００１２】
本発明は、例えば、ロック機構を車両内の床面に回動可能に支持された折り畳みシートに設けて、このロック機構を該床面に突設したストライカと係脱させて実施することが可能である。
【発明の効果】
【００１３】
本発明によると、ロック完了後におけるフックのがたつきを確実に防止できるように、回動部材または着脱部材を車両ボディに取り付ける作業が従来に比べて簡単になる。
【発明を実施するための最良の形態】
【００１４】
以下、図示実施形態に基づき本発明を説明する。
まず、本発明を適用した車両用折り畳みシートと、その周辺部材について説明する。
図１及び図２は、自動車（図示略）内の床面１００と、床面１００に回転可能に設けられた折り畳みシート（回動部材）１０を示している。
折り畳みシート１０は、座部１１と、座部１１の後端に左右方向（紙面の表裏方向を左右方向、図１及び図２の左側を前方、右側を後方とする）の軸回りに回転可能として枢着された背凭れ１２とを具備しており、座部１１の底面には、前後方向を向くとともに下面が開口する樋形状をなすアッパーレール１３が左右一対設けられている。そして各アッパーレール１３には上面が開口する樋形状をなす前後方向を向くロアレール１４が、前後方向に摺動可能に支持されている。左右方向を向く回転軸１５の両端部からは、回転軸１５に対して直交する固定部１５ａが延出しており、この左右の固定部１５ａが左右のロアレール１４の底面前端部にそれぞれ固着されている。そして、回転軸１５には、左右一対の略三角形状のブラケット１６が回転可能に取り付けられており、この左右のブラケット１６を床面１００に固定することにより、折り畳みシート１０は床面１００に取り付けられている。床面１００に取り付けられた折り畳みシート１０は、その回転軸１５を中心に前後方向に回動可能である。
床面１００のブラケット１６の後方には、車両前方側から視たときに逆Ｕ字形をなす左右一対のストライカ１０１が突設されている。
【００１５】
左右のロアレール１４の後端底部には、略上下方向を向く切欠溝１４ａがそれぞれ形成されており、左右のロアレール１４内部の切欠溝１４ａと対応する位置には、図３〜図１０に拡大して示すロック機構２０が設けられている。
次にロック機構２０とその操作装置について説明する。
図３〜図１０に詳しく示すように、左右のロック機構２０は、ロアレール１４の左右の側壁１４ｂの間に架設された回転軸２１回りに回転可能なフック２２と、フック２２の前方に位置し、左右の側壁１４ｂの間に架設された回転軸２３回りに回転可能なポール２４と回転防止部材２５とを備えている。
フック２２は、ストライカ１０１が進入可能な係合溝２２ａと、ポール２４と係脱可能な係合突部２２ｂとを備えている。フック２２の反時計方向への回転は図３に示すロック解除位置で規制されており、このロック解除位置から時計方向へ回転することにより図７に示すロック位置に到達する。ロック位置において、係合溝２２ａにストライカ１０１が係合することにより、フック２２がストライカ１０１をロックする。フック２２は、このロック位置において時計方向側に回転規制されていないので、ロック位置よりさらに時計方向側のオーバーストローク位置（図５の仮想線の位置）まで回転可能である。
【００１６】
ポール２４はフック２２と前後方向に重合しており、フック２２と係合しない非係合位置（図１０の位置）と、その先端に形成された係止部２４ａがフック２２の係合突部２２ｂの反時計方向側の係止面２２ｃに当接して、ロック位置にあるフック２２がロック解除位置に回転するのを防止する係合位置（図７の位置）との間を回動可能である。
フック２２とポール２４の間には引張ばねＳ１が張設され、この引張ばねの付勢力によって、フック２２は図の反時計方向に回転付勢され、ポール２４は時計方向に回転付勢されている。
【００１７】
ポール２４と共通の回転軸２３に回転可能に支持された回転防止部材２５は、ポール２４より長寸の部材である。この回転防止部材２５の基端部側はポール２４と左右方向に重合しており、車両前方から見るとその先端部側は基端部側に対して曲折され（図１１参照）、先端部はフック２２（及びポール２４）と上下方向（前後方向）に重合している。回転防止部材２５には係合孔２５ａが穿設されており、この係合孔２５ａには、ポール２４の回転防止部材２５との対向面に突設された係合ピン２４ｂが、回転軸２３の軸心を中心とする円弧方向に相対移動可能として嵌合している（係合孔２５ａと係合ピン２４ｂは連係手段の構成要素である）。さらに、回転防止部材２５の先端部には、フック２２の係合突部２２ｂの時計方向側の係止面２２ｄと係脱可能なストッパ部２５ｂが突設されている。回転防止部材２５は、ストッパ部２５ｂが係止面２２ｄに当接する係合位置（図７の位置）と、フック２２との係合を完全に解除する非係合位置（図１０の位置）との間を回転軸２３回りに回動可能である。
さらに、回転防止部材２５の先端部とロアレール１４の一方の側壁１４ｂとに穿設された係止孔２５ｃ、１４ｃには、捻りコイルばね（付勢手段）Ｓ２の両端部Ｓ２ａ、Ｓ２ｂが係止されている。この捻りコイルばねＳ２は回転防止部材２５を回転付勢する部材であり、図６、図９の状態を境にして、回転防止部材２５の付勢方向を変化させる。具体的には、回転軸２３の軸心と、捻りコイルばねＳ２の一方の端部Ｓ２ａと係止孔１４ｃの接触部とを結ぶ直線Ｌに対して、捻りコイルばねＳ２の他方の端部Ｓ２ｂと係止孔２５ｃとの接触部が前方に位置するときは、回転防止部材２５を時計方向に回転付勢し、この接触部が直線Ｌより後方に位置するときは回転防止部材２５を反時計方向に回転付勢する。さらに、この捻りコイルばねＳ２の付勢力は、上記引張ばねＳ１の付勢力より小さく設定されている。
【００１８】
ポール２４には操作ワイヤＷの一端が固着されており（図１０参照）、左右のロック機構２０の操作ワイヤＷの他端は共に、アッパーレール１３の前端に設けられた操作レバー１７に連係されている。この操作レバー１７は、非操作位置（図１及び図２の位置）と操作位置とに移動可能であり、図示を省略したばね等の付勢手段によって、常に非操作位置に向けて付勢されている。
図３に示すように、ストライカ１０１が切欠溝１４ａから脱出して、フック２２がロック解除位置に位置する状態で、操作レバー１７を非操作位置に移動させると、引張ばねＳ１の付勢力によってポール２４は係合位置側（時計方向）に回転し、ポール２４は、その後面がロック解除位置にあるフック２２に当接して停止する。このとき、回転防止部材２５には捻りコイルばねＳ２から反時計方向の付勢力が掛かるので図３に示す位置に位置し、ロック機構２０はアンロック状態となる。
【００１９】
次に、以上のような構成からなるロック機構２０の動作について説明する。
図２に示すように、折り畳みシート１０が、その背凭れ１２が座部１１と平行をなし、床面１００に対してほぼ垂直をなす折り畳み位置にあるとき、ストライカ１０１はロック機構２０から脱出しており、ロック機構２０は図３に示す状態にある。
操作レバー１７を非操作位置に位置させたまま、折り畳みシート１０を回転軸１５を中心に後方に回転させて図１に示す使用位置に移動させると、ストライカ１０１が切欠溝１４ａに進入する（図４参照）。折り畳みシート１０をさらに後方に回転させると、ストライカ１０１が係合溝２２ａに係合し、かつ、引張ばねＳ１の付勢力に抗してフック２２をロック位置側に回転させる。するとポール２４の側面に当接しているフック２２の係合突部２２ｂが、ポール２４の後面に接触し、引張ばねＳ１の付勢力に抗してポール２４を反時計方向に回転させ、やがて、係合突部２２ｂがポール２４の後面を乗り越えてポール２４の上方に移動する（図５参照）。ストライカ１０１の押圧力によってフック２２は図５に仮想線で示すように、ロック位置（実線の位置）を超えてオーバーストローク位置（仮想線の位置）まで回転する。一方、ポール２４は、係合突部２２ｂからの押圧力が消失した瞬間に、引張ばねＳ１の付勢力によって時計方向に回転し、フック２２がロック位置よりオーバーストローク位置側に移動した後に係合突部２２ｂの下方まで回転する（図６参照）。このようなポール２４の時計方向への回転に連動して、係合ピン２４ｂが係合孔２５ａの後面を後方に押圧することにより、回転防止部材２５がポール２４に遅れながら時計方向に回転する。回転防止部材２５の時計方向の回転中に、捻りコイルばねＳ２の端部Ｓ２ｂと係止孔２５ｃとの接触部が直線Ｌの後方に位置すると（回転防止部材２５が図６の位置より後方に移動すると）、それまで回転防止部材２５を反時計方向に回転付勢していた捻りコイルばねＳ２が回転防止部材２５を時計方向に回転付勢し始める。そして、引張ばねＳ１の付勢力によってフック２２がオーバーストローク位置からロック位置に回転し、係合突部２２ｂの反時計方向側の係止面２２ｃが、係合位置に位置するポール２４の係止部２４ａに当接し、フック２２はロック位置で停止する（図７参照）。そして、回転防止部材２５がポール２４に遅れて係合位置に達し、そのストッパ部２５ｂが係合突部２２ｂのオーバーストローク位置側に位置し、係合突部２２ｂの時計方向側の係止面２２ｄに当接する（図７参照）。
【００２０】
このように、ポール２４の係止部２４ａと係合突部２２ｂの係止面２２ｃが、引張ばねＳ１の付勢力によって強固に係合することにより、フック２２のロック解除位置側への回転（反時計方向への回転）が防止される。さらに、回転防止部材２５のストッパ部２５ｂと係合突部２２ｂの係止面２２ｄが、捻りコイルばねＳ２の付勢力によって強固に係合することにより、フック２２がロック位置からオーバーストローク位置側に回転するのが防止されるので、ロック完了後にフック２２はいずれの方向にも回転できなくなる。従って、この状態で乗客が座部に着座しても、フック２２がロック位置から時計方向にも反時計方向にも回転することがないので、折り畳みシート１０はがたつかない。また、非着座時に車両から折り畳みシート１０に振動が伝わっても、折り畳みシート１０から異音が発生することもない。
【００２１】
このように使用位置にある折り畳みシート１０を図２に示す折り畳み位置に回転移動させるには、まず背凭れ１２を座部１１と平行になるまで前方に倒し、操作レバー１７を操作位置まで移動させる。すると、図８に示すように、ポール２４が引張ばねＳ１の付勢力に抗して反時計方向に回転し始め、係合ピン２４ｂが係合孔２５ａの前面を前方に押圧することにより、回転防止部材２５がポール２４に遅れて反時計方向に回転する。回転防止部材２５の反時計方向への回転中に、捻りコイルばねＳ２の端部Ｓ２ｂと係止孔２５ｃとの接触部が直線Ｌの前方に位置すると（回転防止部材２５が図９の位置より前方に移動すると）、それまで回転防止部材２５を時計方向に回転付勢していた捻りコイルばねＳ２は回転防止部材２５を反時計方向に回転付勢し始める。そして、引張ばねＳ１と捻りコイルばねＳ２の付勢力によって、図１０に示すように、ポール２４と回転防止部材２５がそれぞれ非係合位置と非係合位置に達すると、ポール２４とフック２２の係合が完全に解除される。この状態で折り畳みシート１０を回転軸１５を中心に前方に向けて回転させれば、ストライカ１０１が係合溝２２ａと切欠溝１４ａから脱出し、フック２２は引張ばねＳ１の付勢力によってロック解除位置まで回転し、折り畳みシート１０を折り畳み位置まで回転可能となる。この後に操作レバー１７を非操作位置に復帰させれば、ロック機構２０は図３に示す状態に復帰する。
【００２２】
このように本実施形態によれば、ロック完了後にフック２２の係合突部２２ｂの両係止面２２ｃ、２２ｄに、ポール２４と回転防止部材２５が係合してその位置で停止するので、ロック完了後おけるフック２２のがたつきを確実に防止できる。
しかも、ロック時にストライカ１０１に当接する部材はフック２２のみであるので、折り畳みシート１０の床面１００への取付時に、ロック時におけるストライカ１０１との相対位置関係を注意しなければならない部材はフック２２のみであり、その他の部材のストライカ１０１との相対位置関係を考慮する必要がない。従って、従来に比べて折り畳みシート１０を床面１００に簡単に取り付けられる。
【００２３】
本実施形態は本発明のロック機構２０を折り畳みシート１０に設けたものであるが、本発明は本実施形態に限定されるものではなく様々な態様での実施が可能である。例えば、ロック機構２０を回動部材としての車両ドア（図示略）に設けて、車両ドア全閉時にこのロック機構２０で車両本体に突設したストライカをロックして、車両ドアの全閉状態を保持するようにしてもよい。また、ロック機構２０を床面１００に対して着脱可能なシート（着脱部材）（図示略）の底部に設けて、このシートの床面への取付時に、このロック機構２０で車両床面１００に突設したストライカをロックしてもよい。さらに、回動部材側または着脱部材側にストライカを突設して、車両本体側にロック機構２０を設けてもよい。また、回転防止部材２５側に係合ピンを設けて、ポール２４側に係合孔を設けることにより、ポール２４と回転防止部材２５の連係手段を構成してもよい。さらに、引張ばねＳ１と捻りコイルばねＳ２を、これらと同じ機能を有する他の構造の付勢手段に代えて実施してもよい。
【図面の簡単な説明】
【００２４】
【図１】本発明を適用した折り畳みシートが使用位置にある状態を示す側面図である。
【図２】折り畳みシートが折り畳み位置にある状態を示す側面図である。
【図３】アンロック状態にあるロック機構の拡大側面図である。
【図４】アンロック状態にあるロック機構にストライカが進入し始めたときの側面図である。
【図５】ストライカがさらに進入したときのロック機構の側面図である。
【図６】ロック機構がロック状態になる直前の側面図である。
【図７】ロック状態にあるロック機構の側面図である。
【図８】ロック状態からアンロック状態に移行する途中のロック機構の側面図である。
【図９】ロック機構がさらにアンロック状態側に移行するときの側面図である。
【図１０】ロック機構によるストライカのロックが解除された状態を示す側面図である。
【図１１】図１０のXI−XI線に沿う断面図である。
【符号の説明】
【００２５】
１００    車両床面
１０１    ストライカ
１０      折り畳みシート（回動部材）
１１      座部
１２      背凭れ
１３      アッパーレール
１４      ロアレール
１４ａ    切欠溝
１４ｂ    側壁
１５      回転軸
１６      ブラケット
１７      操作レバー
２０      ロック機構（車両用ロック装置）
２１      回転軸
２２      フック
２２ａ    係合溝
２２ｂ    係合突部
２２ｃ  ２２ｄ  係止面
２３      回転軸
２４      ポール
２４ａ    係止部
２４ｂ    係合ピン（連係手段）
２５      回転防止部材
２５ａ    係合孔（連係手段）
２５ｂ    ストッパ部
２５ｃ    係止孔
Ｓ１      引張ばね
Ｓ２      捻りコイルばね（付勢手段）
Ｓ２ａ  Ｓ２ｂ  端部
Ｗ        操作ワイヤ
【図１】
2005329804.tif 000003
【図２】
2005329804.tif 000004
【図３】
2005329804.tif 000005
【図４】
2005329804.tif 000006
【図５】
2005329804.tif 000007
【図６】
2005329804.tif 000008
【図７】
2005329804.tif 000009
【図８】
2005329804.tif 000010
【図９】
2005329804.tif 000011
【図１０】
2005329804.tif 000012
【図１１】
2005329804.tif 000013